(57)【要約】【課題】従来は導入コストが安く、運用が簡単で、利用者本人が不在時に不正入室を知ることが出来る入退室管理システムが存在しなかった。【解決手段】入室者認証方法に利用者ＩＤ記憶媒体（磁気カード、ＩＣカード、ＩＣタグ、バーコード等）と利用者ＩＤ記憶媒体読取装置と利用者ＩＤ記憶媒体読取装置に接続されたメール送受信が可能な情報端末（パソコン、ＰＤＡ、携帯電話等）を利用した入退室管理システムにおいて、入室時と退室時に利用者ＩＤによる認証を行うことに加え利用者ＩＤに対応して登録されたメールアドレス（複数も可能）に情報端末よりメールを送信することを特徴とするセキュリティシステム。【選択図】  図１
2006318429.tif 000002
【特許請求の範囲】
【請求項１】
入室者認証方法に利用者ＩＤ記憶媒体（磁気カード、ＩＣカード、ＩＣタグ、バーコード等）と利用者ＩＤ記憶媒体読取装置と利用者ＩＤ記憶媒体読取装置に接続されたメール送受信が可能な情報靖末（パソコン、ＰＤＡ、携帯電話等）を利用した入退室管理システムにおいて、入室時と退室時に利用者ＩＤによる認証を行うことに加え利用者ＩＤに対応して登録されたメールアドレス（複数も可能）に情報端末よりメールを送信することを特徴とするセキュリティシステム。
【請求項２】
請求項１のシステムで、入室時と退室時に利用者ＩＤによる認証を行うことに加え利用者ＩＤに対応して登録されたメールアドレスに情報端末よりメールを送信し、パスワード返信してもらうことより二重のチェックを行うことを特徴とするセキュリティシステム。
【請求項３】
請求項１のシステムで、利用者ＩＤ記憶媒体読取装置とメール送受信が可能な情報端末の間の通信を有線方式ではなく携帯電話からのメール送信により行うことを特徴とするセキュリティシステム。
【請求項４】
請求項２のシステムで、利用者ＩＤ記憶媒体読取装置とメール送受信が可能な情報端末の間の通信を有線方式ではなく携帯電話からのメール送信により行い、入室時と退室時に利用者ＩＤによる認証を行うことに加え利用者ＩＤに対応して登録されたメールアドレスに情報端末よりメールを送信し、パスワード返信してもらうことより二重のチェックを行うことを特徴とするセキュリティシステム。
【請求項５】
請求項１のシステムの入室者認証に生体認証装置（指紋や眼球の奥の虹彩、あるいは声などの身体的特徴によって本人確認を行なう認証方式）を利用することを特徴とするセキュリティシステム。
【請求項６】
請求項１のシステムの入室者認証に利用者ＩＤ入力装置（テンキー、パソコン、タッチパネル端末）を利用することを特徴とするセキュリティシステム。
【請求項７】
請求項２のシステムの入室者認証に生体認証装置（指紋や眼球の奥の虹彩、あるいは声などの身体的特徴によって本人確認を行なう認証方式）を利用することを特徴とするセキュリティシステム。
【請求項８】
請求項２のシステムの入室者認証に利用者ＩＤ入力装置（テンキー、パソコン、タッチパネル端末）を利用することを特徴とするセキュリティシステム。
【請求項９】
請求項３のシステムの入室者認証に生体認証装置（指紋や眼球の奥の虹彩、あるいは声などの身体的特徴によって本人確認を行なう認証方式）を利用することを特徴とするセキュリティシステム。
【請求項１０】
請求項３のシステムの入室者認証に利用者ＩＤ入力装置（テンキー、パソコン、タッチパネル端末）を利用することを特徴とするセキュリティシステム。
【請求項１１】
請求項４のシステムの入室者認証に生体認証装置（指紋や眼球の奥の虹彩、あるいは声などの身体的特徴によって本人確認を行なう認証方式）を利用することを特徴とするセキュリティシステム。
【請求項１２】
請求項４のシステムの入室者認証に利用者ＩＤ入力装置（テンキー、パソコン、タッチパネル端末）を利用することを特徴とするセキュリティシステム。
【発明の詳細な説明】
【技術分野】
【０００１】本発明は、利用者認証装置及び情報端末から構成される入退室管理セキュリティシステムに関する。
【背景技術】
【０００２】従来のＩＣカード等を利用した本人認証のための機器が低コストな入退室管理システムは運用が簡単だが、カード偽造等によるなりすましを把握する手段がなかった。
また、生体認証方式ではなりすましは困難だが導入コストが高くなる場合があり、運用面でも登録に手間がかかる、本人なのに認証でエラーになる、方式により抵抗感を感じる人がいる等の問題がある。
【発明の開示】
【発明が解決しようとする課題】
【０００３】従来は導入コストが安く、運用が簡単で、利用者本人が不在時に不正入室を知ることが出来る入退室管理システムが存在しなかった。【０００４】本発明は、このような点に鑑みて考案されたものであり、その目的は、導入コストが安く、ランニングクストが安く、運用が簡単で、不正入室を把握することである。【０００５】メールを送信する情報端末に携帯電話を用いた場合には設置及び移設が簡単で、臨時的に入退室管理が必要な場所にも簡単に設置が可能となる。
【課題を解決するための手段】
【０００６】利用者認証読取装置に接続された情報端末は利用者認証読取装置から読み込んだ利用者ＩＤに対応するメールアドレスを取得します。【０００７】情報端末は利用者ＩＤに対応するメールアドレスにメールを送信します。【０００８】不正入室者があれば本来の入室者にメールが届き、携帯電話にメールで送信するように設定していれば不正入室を迅速把握できます。【０００９】入室履歴をメールの送受信記録から蓄積し把握可能とします。
【発明の効果】
【００１０】導入コストが安く、ランニングクストが安く、運用が簡単で不正入室を把握できるシステムが構築できます。【００１１】使用者本人不在時に不正入室が迅速に把握できます。【００１２】入室履歴がメールから作成可能です。
【発明を実施するための最良の形態】
【００１３】以下、本発明の実施方法を図面に基づき詳細に説明する。【００１４】図１の構成で１００の利用者ＩＤ記憶媒体にＩＣタグ、２００の利用者ＩＤ記憶媒体読取装置にＩＣタグリーダ、３００の情報端末にパソコンを使用し、４００のインターネット、５００のメールサーバを経由して６００の情報端末を携帯電話の構成とします。【００１５】入室しようとする利用者はＩＣタグが内蔵されたカードをＩＣタグリーダで読取させます。【００１６】ＩＣタグリーダが接続されているパソコンはＩＣタグの利用者ＩＤを読取り、入室ＯＫかどうかチェックをします。【００１７】入室ＯＫの場合はあらかじめ利用者ＩＤに対応して登録されているメールアドレスにメールを送信します。入室ＮＧの場合は入退室管理者（守衛、警備員等）の携帯電話へメールを送信します。【００１８】入室ＯＫ、入室ＮＧのどちらの場合でも入退室ログ作成用メールアドレスにメールを送信します。
【実施例】
【００１９】ＩＣタグ方式であれば導入コストが安く、運用が簡単で、利用者本人が不在時に不正入室を知ることが出来る入退室管理システムを構築できます。
【産業上の利用可能性】
【００２３】
【００２４】個人情報漏洩が社会的問題となっているおり企業の入退室管理システムのセキョリティ強化に利用の可能性がある。
【図面の簡単な説明】
【図１】本システムの全体図である。１００は利用者ＩＤ記憶媒体、２００は利用者ＩＤ記憶媒体読取装置、３００は情報端末、４００はインターネット、５００はメールサーバ、６００は情報端末である。
【図２】本システムの実施例であり、図１の利用者ＩＤ記憶媒体読取装置と情報端末の間の通信を利用者ＩＤ記憶媒体読取装置に接続した携帯電話を経由して行うシステムである。
【図１】
2006318429.tif 000003
【図２】
2006318429.tif 000004